(57)【特許請求の範囲】
【請求項１】
棒状アンテナを標準方向とその標準方向から９０°旋回させた方向で固定できるようにした携帯型の無線通信機において、
１２個又は１６個の表示セグメントをその配設領域の中心に関して点対称な位置関係で配設して英数字の表示を可能にした液晶表示ユニットを用い、情報表示領域の全部又は一部が前記表示ユニットをマトリクス状に配置して構成されている情報表示パネル部と、
前記棒状アンテナの固定方向を検出して、その検出方向に応じて前記情報表示パネル部における前記表示内容の回転角度を指定する回転角度指定手段と、
前記情報表示パネル部における前記表示内容を９０°単位で回転させる場合における各表示セグメント間の対応関係を記憶している記憶手段と、
前記回転角度指定手段が指定した回転角度に基づいて、前記記憶手段における各表示セグメント間の対応関係情報を参照して各表示セグメントの点灯／消灯状態を制御することにより、前記情報表示パネル部の前記表示内容を回転させる制御手段と
を具備したことを特徴とする携帯型の無線通信機の情報表示装置。
【発明の詳細な説明】
【技術分野】
【０００１】
本発明は携帯型の無線通信機の情報表示装置に係り、特にセグメント表示方式で構成される情報表示パネル部において、使用周波数やチャンネル等のより複雑な表示内容を９０°単位で回転させて表示できるようにするための改良に関する。
【背景技術】
【０００２】
液晶ディスプレイでの文字の表示方式には、従来から電卓等で数字の表示に用いられてきたセグメント方式と、液晶ＴＶで使用している任意の文字表示が可能なドットマトリクス方式とがあるが、無線通信機の分野ではセグメント方式が採用されていることが多い。
これは、無線通信機ではその情報表示パネル部で表示されるべき内容が英数字のみで表現できることや、セグメント方式を採用すると、文字の表示品質が高いにもかかわらず、情報表示パネル部の駆動回路がドットマトリクス方式の場合よりも遥かに小規模で足り、大幅なコストダウンを図れるという利点があることによる。
【０００３】
ところで、セグメント方式の液晶パネルでは、表示画素に相当するセグメントと同形の透明電極を配設し、他方の共通透明電極との間に電圧をかけて液晶シャッターをON/OFFすることにより、セグメントを文字の構成要素としている。
したがって、ドットマトリクス方式のように広範な表現は不可能であり、表示内容の回転となると、下記特許文献１や２に示されているような極めて限定された条件下で実現されているだけである。
【０００４】
ここに、特許文献１の数表示パネルでは、図１５（Ａ）に示すように、数表示のための画素要素としての７個の表示セグメント101〜107と、小数点表示用の小円形の表示セグメント108,109とを各桁毎に配置しており、各表示セグメントの点灯／消灯状態を同図（Ｂ）と同図（Ｃ）の状態に切換えることにより、「２５.０」の数値を相互に１８０°回転させた状態で表示させることを可能にしている。
また、特許文献２の表示装置では、図１６（Ａ）に示すように、７個の表示セグメントと小数点を適宜配置させておき、同図の（Ｂ）〜（Ｅ）のように４表示方向切替機能を実現させている。この表示装置では、上下方向と左右方向とが十字状に交差する部分で表示セグメントを共通に使用できるようになっており、表示セグメントの数を最小限に抑制する配慮がなされているが、他の「動作」・「無計量」の状態表示部は４表示方向に対応させてそれぞれの方向毎に設けられている。
【先行技術文献】
【特許文献】
【０００５】
【特許文献１】実開昭５９−１０８１号公報
【特許文献２】特開２００７−２５６５５９号公報
【発明の概要】
【発明が解決しようとする課題】
【０００６】
上記のように、無線通信機の情報表示パネル部にはセグメント表示方式の液晶パネルが用いられることが多いが、携帯型トランシーバ等ではアンテナの向きを水平方向にした方がより良好な通信状態が得られることもあり、本体を９０°回転させた状態で保持しながら使用する場合がある。
また、ハンズフリーな状態で使用する場合には、本体の背面に付設したベルトフックでベルトに掛け止めておき、本体にケーブル接続されたタイピン式マイクとイヤホンで送受話を行うことも少なくない。
そして、その際の掛け止め方としては、本体をそのまま縦方向に掛け止める場合だけでなく、できるだけ上体の屈曲動作の妨げにならないように、本体をベルトに沿って水平方向にして掛け止める場合があるが、いずれにおいても上側から情報表示部を覗き込んで表示内容を確認することになる。
【０００７】
ところで、以上のような場合においては、無線通信機の情報表示パネル部が標準使用状態から±９０°又は１８０°回転していることになるが、セグメント表示方式では英数字が７セグメントや１２セグメントの特有のフォントで表現されることと相俟って、表示内容を非常に確認しづらくなる。
前記特許文献１，２の発明では、７個の表示セグメントで一行の数値表示を行う場合における表示内容の回転を実現しているが、無線通信機の情報表示パネル部では複数行に亘る英数字による表示内容が一般的であり、そのような表示内容に対しては適用できない。
【０００８】
そこで、本発明は、セグメント表示方式の情報表示パネル部で英数字からなる複数行の文字表示を行い、必要に応じて又は適応的にその表示内容を９０°単位で回転させることが可能な携帯型の無線通信機を提供することを目的とする。
【課題を解決するための手段】
【０００９】
本発明は、棒状アンテナを標準方向とその標準方向から９０°旋回させた方向で固定できるようにした携帯型の無線通信機において、１２個又は１６個の表示セグメントをその配設領域の中心に関して点対称な位置関係で配設して英数字の表示を可能にした液晶表示ユニットを用い、情報表示領域の全部又は一部が前記表示ユニットをマトリクス状に配置して構成されている情報表示パネル部と、前記棒状アンテナの固定方向を検出して、その検出方向に応じて前記情報表示パネル部における前記表示内容の回転角度を指定する回転角度指定手段と、前記情報表示パネル部における前記表示内容を９０°単位で回転させる場合における各表示セグメント間の対応関係を記憶している記憶手段と、前記回転角度指定手段が指定した回転角度に基づいて、前記記憶手段における各表示セグメント間の対応関係情報を参照して各表示セグメントの点灯／消灯状態を制御することにより、前記情報表示パネル部の前記表示内容を回転させる制御手段とを具備したことを特徴とする携帯型の無線通信機の情報表示装置に係る。
【００１０】
本発明で用いられている表示ユニットについてみると、１２個又は１６個の表示セグメントの配設条件により、表示セグメントで表現される各英数字を９０°単位で回転させる場合、フォントの形状を同一に保って回転させることができる。
また、情報表示パネル部ではその表示ユニットをマトリクス状に配置させて情報表示領域を構成しているため、複数行の英数字からなる文字ブロック全体を情報表示領域の中心の回りに９０°単位で回転させると、表示ユニット同士が対応する関係で各英数字の位置が定まる。
すなわち、前記表示ユニットで構成した領域の表示内容の９０°単位での回転は、その全領域に係る表示セグメント同士の対応関係として一般化して定義できることになる。
【００１１】
本発明では、前記回転に係る表示セグメント同士の対応関係情報を回転角度毎に記憶手段に記憶させておく。
そして、回転角度指定手段から、無線通信機の使用態様に応じて前記表示内容を視認し易くするための回転角度の指定（９０°単位）がなされると、制御手段が前記記憶手段における該当回転角度についての各表示セグメント間の対応関係情報を参照し、各表示セグメントの点灯／消灯制御することにより表示内容を回転させる。
【００１２】
但し、本発明における回転角度指定手段は、無線通信機が棒状アンテナを標準方向とその標準方向から９０°旋回させた方向で固定できるようにした携帯型機種であることに基づいて、前記棒状アンテナの固定方向を検出し、その検出方向に応じて情報表示パネル部における表示ユニットで構成した領域の表示内容の回転角度を指定する手段である。
【発明の効果】
【００１５】
本発明の携帯型の無線通信機の情報表示装置によれば、棒状アンテナを標準方向とその標準方向から９０°旋回させた方向で固定できるようにした携帯型の無線通信機において、セグメント表示方式の情報表示パネル部でありながら、英数字からなる複数行の表示内容（周波数，チャンネル，コールサイン，モード、メニュー等）を、棒状アンテナの固定方向に応じて、９０°単位で回転させて表示することが可能になり、無線通信機を±９０°又は１８０°回転させた状態で使用するような場合にも表示内容を視認し易くできる。
従来技術では、セグメント表示方式による情報表示パネル部で表示内容の回転が可能になる場合は単一行の数字に限られていたが、本発明では複数行の英数字による表示内容も回転可能であり、情報表示部で多数の事項を表示する携帯型の無線通信機にも適用できる。
【図面の簡単な説明】
【００１６】
【図１】本発明の実施形態に係る携帯型トランシーバの正面図（Ａ）とその情報表示パネル部の拡大図（Ｂ）である。（Ｂ）における表示セグメント内の英数字は個別の表示セグメントを示すために便宜上付したものである。
【図２】１２個の表示セグメントで表現できる英数字フォントの例を示す図である。
【図３】実施形態に係る携帯型トランシーバの概略システム図である。
【図４】携帯型トランシーバの標準使用状態での正面図（Ａ）と、その状態から９０°回転させた状態での正面図（Ｂ）であり、（Ｂ）では情報表示パネル部の表示内容は回転している。
【図５】携帯型トランシーバ（図３の概略システム図）において、情報表示パネル部の表示内容を回転させる場合の動作手順を示すフローチャートである。
【図６】情報表示パネル部における表示ユニットで構成した領域の表示内容を−９０°回転させる場合の表示セグメントの対応関係テーブルである。
【図７】棒状アンテナを標準方向とその標準方向から９０°旋回させて固定することが可能な携帯型トランシーバの背面図（Ａ）と側面図（Ｂ）である。
【図８】棒状アンテナを標準方向から９０°旋回させて固定した状態での携帯型トランシーバの正面図（表示内容は−９０°回転）である。
【図９】背面にベルトクリップを９０°毎の回転角度で固定できるように取り付けた携帯型トランシーバの背面図（Ａ）と側面図（Ｂ）である。
【図１０】携帯型トランシーバをベルトクリップでベルトに取り付けた状態を示す正面図である。情報表示パネル部の表示ユニットで構成した領域の表示内容は＋９０°回転している。
【図１１】３軸加速度センサからの入力データを解析処理して情報表示パネル部の面内回転角度αを求め、チャンネル等表示部の表示内容の回転角度を設定する動作手順を示すフローチャートである。
【図１１ａ】情報表示パネル部の面内回転角度αに基づいてチャンネル等表示部の表示内容の回転角度を求める際の仕分け範囲の関係を示す模式図である。
【図１２】情報表示パネル部の全部又は一部が、１２個の表示セグメントからなる表示ユニットを７×７のマトリクス状に配置して構成されている場合における表示内容の例を示す図である。（表示ユニットの配置関係を示すために、便宜上、英数字の表示を黒で示してある。）
【図１３】１６個の表示セグメントからなる表示ユニットの構成図（Ａ）と、その表示ユニットを７×７のマトリクス状に配置して構成した場合における表示内容の例を示す図（Ｂ）である。［（Ｂ）では表示ユニットの配置関係を示すために、便宜上、英数字の表示を黒で示してある。］
【図１４】携帯型トランシーバの情報表示パネル部の一部を図１３の例で構成した場合における標準使用状態での部分正面図（Ａ）と、携帯型トランシーバを９０°回転させて表示内容を−９０°回転させた場合における部分正面図（Ｂ）である。
【図１５】従来技術（特許文献１）を説明するための参考図である。
【図１６】従来技術（特許文献２）を説明するための参考図である。
【発明を実施するための形態】
【００１７】
以下、本発明の実施形態について、図面を参照しながら詳細に説明する。
先ず、図１（Ａ）は携帯型トランシーバの正面図であり、1は本体部、2は棒状アンテナ、3は情報表示パネル部、4はモードボタン、5は音量調節ボタン、6はPTTボタン、7はスピーカ＆マイクロホン、8は送受信インジケータを示し、図示していないが、本体部1の側面には電源ボタンやチャンネル選択用ボタン等が設けられている。
【００１８】
一方、図１（Ｂ）は情報表示パネル部3の拡大図であるが、この実施形態での情報表示パネル部3はセグメント方式の液晶表示パネルで構成されている。
そして、同パネルには、電池残量表示部11と、音量レベル表示部12と、チャンネル・セットメニュー表示部（以下、「チャンネル等表示部」という）13とが設けられているが、チャンネル等表示部13は１２個の表示セグメントからなる表示ユニット14〜17が２×２のマトリクス状に配置されており、各表示ユニット14〜17は１２個の表示セグメントを選択的に点灯／消灯させることで英数字を表示できるようになっている。
【００１９】
具体的には、図１２は単独の前記表示ユニットで表示できる英数字フォントの一例であり、半角数字、全角数字、全角英字などをフォントパターンが重複することなく表現することができる。その他にも、一部の半角英字フォント等も表現可能であるが、ここでは省略する。
【００２０】
ところで、チャンネル等表示部13における各表示ユニット14〜17は、１２個の表示セグメントをその配設領域の中心に関して点対称な位置関係で「田」字状に配設させており、それぞれ配設領域の中心に関して１２個の表示セグメントを９０°単位で回転させても同一パターンになる。
また、チャンネル等表示部13では表示ユニット14〜17が２×２のマトリクス状に配置されている関係で、チャンネル等表示部13の全体をマトリクスの中心に関して９０°単位で回転させた場合も同一パターンになる。
したがって、表示ユニット14,15,16,17の表示セグメントA1〜A12，B1〜B12，C1〜C12，D1〜D12［図１（Ｂ）参照］の点灯／消灯を制御することにより、英数字の表示内容をそのままの形を保持して９０°単位で回転させることが可能である。
【００２１】
次に、図３は携帯型トランシーバの概略システム図であり、21は送信回路部、22は受信回路部、23はマイクロホン、24はMIC-ＡＭＰ回路、25はスピーカ、26はSPEAKER-ＡＭＰ回路、27は操作部（前記のモードボタン4や音量調節ボタン5やPTTボタン6などを含む）、27aは操作部Ｉ/Ｆ、30はマイクロコンピュータ回路（以下、「マイコン回路」という）を示し、また、同図において、2は前記棒状アンテナ、3は前記情報表示パネル部、3aは情報表示パネル部3に対するLCDドライバである。
【００２２】
そして、各モジュールは図示するような関係で接続されているが、この携帯型トランシーバにおいては、操作部27から操作部Ｉ/Ｆ27aを介して入力される操作信号はマイコン回路30に取り込まれ、マイコン回路30がシステム全体の動作を制御するようになっている。ここに、マイコン回路30はＣＰＵ31のバスにタイマー32とＲＯＭ33とＲＡＭ34とI/Oポート35が接続された構成を有し、ＣＰＵ31がI/Oポート35を介して各操作信号を受けると、その操作信号に係るデータをＲＡＭ34にセーブして、ＲＯＭ33に格納されているシステム制御プログラムや各種プログラムを実行する。また、この実施形態ではＲＯＭ33には後述する回転角度毎の表示セグメント対応関係テーブルが格納されている。
【００２３】
なお、相手方トランシーバとの通信においては、マイクロホン23から入力された音声信号をMIC-ＡＭＰ回路24で増幅した後、送信回路部21でその音声信号を符号化し、その符号化データで搬送波をデジタル変調して得られる被変調波を通信用アンテナ2から電波として送信し、通信用アンテナ2で受信した被変調信号を受信回路部22で復調・復号し、その復号後の音声信号をSPEAKER-ＡＭＰ回路26で増幅してスピーカ25から音声出力させるが、その送受信動作もマイコン回路30による管理と制御に基づいて実行される。
【００２４】
ところで、この実施形態の携帯型トランシーバは、チャンネル等表示部13の前記性質に基づいて、チャンネル等表示部13の表示内容を９０°単位で適宜回転させて表示できる点に特徴がある。
すなわち、例えば、図４（Ａ）に示すような携帯型トランシーバの標準使用状態と全体を＋９０°回転させて使用する状態とで、チャンネル等表示部13の表示内容（「２０／ＣＨ」）を標準的使用状態のままにすると、後者の使用状態では表示内容が視認しづらくなるため、同図（Ｂ）のようにチャンネル等表示部13の表示内容を逆に−９０°だけ回転させて表示することにより、そのような不具合を解消させることができる。
【００２５】
この実施形態の携帯型トランシーバにおいて、前記のような表示制御を実行するための基本動作手順は図５のフローチャートに示される。
先ず、図４（Ａ）に示すように、携帯型トランシーバの情報表示パネル部3が通常表示状態にあり、後述の各種手段によって表示内容の回転角度指定（設定）がなされると、マイコン回路30のＣＰＵ31がその回転角度指定（設定）信号をI/Oポート35を介して取り込む（S1,S2）。
そして、ＲＯＭ33に格納されている当該回転角度に係る表示セグメント対応関係テーブルを参照して、各表示セグメントA1〜A12，B1〜B12，C1〜C12，D1〜D12の点灯／消灯状態を変更設定することで、チャンネル等表示部13の表示内容を回転させる（S3〜S5）。
【００２６】
すなわち、ＲＯＭ33には情報表示パネル部3におけるチャンネル等表示部13の表示内容を９０°単位で回転させる場合における各表示セグメント間の対応関係テーブルが格納されており、ＣＰＵ31は前記指定（設定）信号で示されている回転角度に係る対応関係テーブルを選択し、同テーブルで対応関係が与えられている表示セグメント相互間で点灯／消灯状態の移行を行わせる。
【００２７】
より具体的には、前記の図４（Ａ）の表示状態から図４（Ｂ）の表示状態にする場合には、チャンネル等表示部13の表示内容を−９０°回転させる指定（設定）信号が入力されるが、各表示セグメントを示す符号を図１（Ｂ）のようにA1〜A12，B1〜B12，C1〜C12，D1〜D12とすると、−９０°回転の場合の対応関係テーブルは図６のようになる。
なお、ＲＯＭ33に前記対応関係テーブルとして用意される種類としては、回転角度が±９０°／１８０°となる３種類があれば足りる。
【００２８】
以上のように、この実施形態の携帯型トランシーバではチャンネル等表示部13の表示内容を９０°単位で回転させることができるが、そのトリガとなる回転角度指定（設定）信号の入力については次のような各種方式がある。
(1) 操作部からの入力方式
操作部27からの入力により、表示内容回転モードを設定して９０°単位で回転角度を指定できるようにしておけば、必要に応じて自由にチャンネル等表示部13の表示内容を９０°単位で回転させることができる。
【００２９】
(2) アンテナ連動スイッチ入力方式
図７に示すように、アンテナ2が標準位置（実線）と９０°旋回位置（２点鎖線）で固定できるようになっている場合において、その回転軸の回転角度を検出するロータリースイッチ回路41を設けておき、図１に示すようにそのスイッチ回路41の出力をマイコン回路30に入力させるようにする。
この方式によれば、携帯型トランシーバを＋９０°回転させ、アンテナ2を９０°旋回位置（−９０°回転）に固定した状態で使用する場合には、自動的にチャンネル等表示部13の表示内容を−９０°回転させて見易い表示状態にすることができる。
【００３０】
(3) ベルトクリップ連動スイッチ入力方式
図９に示すように、本体部1の背面側に９０°毎の回転角度で固定できるようにベルトクリップ42を取り付けた場合において、その回転軸の角度を検出するロータリースイッチ回路43を設けておき、図１に示すようにそのスイッチ回路43の出力をマイコン回路30に入力させるようにする。
例えば、図８に示すように、ベルトクリップ42を＋９０°の回転角度で固定し、ベルトクリップ42をベルト44に掛け止めることにより携帯型トランシーバを腹部の前側に装着して使用する場合には、チャンネル等表示部13は上側から覗き込むような使用状態となる。
この方式によれば、チャンネル等表示部13の表示内容を自動的に＋９０°回転させて、正面からみた場合に上下が逆になった見易い表示状態にすることができる。
【００３１】
(4) ３軸加速度センサ使用の場合
３軸加速度センサを本体部1に内蔵させておくと、本体部1の筐体の３次元的な回転状態が求まり、そのデータを解析処理すれば情報表示パネル部3の面内回転角度を求めることができる。
そこで、図３に示すように３軸加速度センサ45の出力をマイコン回路30に取り込むようにし、図１１のフローチャートに示す手順を実行することにより、常にチャンネル等表示部13の表示内容の回転角度を９０°単位で補正制御する。
【００３２】
先ず、以下の手順はΔｔ秒毎（例えば、１秒毎）に実行される（S21）。
ＣＰＵ31はI/Oポート35を介して３軸加速度センサ45からデータが入力されると、そのデータをＲＡＭ34にセーブして、解析処理を行うことにより図４（Ａ）に示す初期状態からの情報表示パネル部3の面内回転角度αを求める（S22）。
そして、その面内回転角度αが、図１１ａの模式図でθ1の範囲（45°＞α＞-45°）にある場合には現状表示状態をそのまま維持し（S23,S27）、θ2の範囲（135°＞α≧45°）にある場合には−90°の回転角度を設定し（S24,S28）、椎θ3の範囲（-45°≧α＞-135°）にある場合には＋90°の回転角度を設定し（S25,S29）、θ4の範囲（225°≧α≧135°又は-135°≧α≧-225°）にある場合には＋180°の回転角度を設定する（S26,S30）。
その結果、チャンネル等表示部13の表示内容は、何等の手動操作を伴うことなく、４５°毎の閾値を超える度に常に見易い方向に補正されることになる。
【００３３】
なお、上記実施形態ではチャンネル等表示部13が表示ユニット14〜17を２×２のマトリクス状に配置させた最も簡単なものになっているが、本願発明の基本的構成によれば、チャンネル等表示部をより大きなサイズのマトリクス状構成としても表示内容の回転を実行できることは当然であり、例えば、図１２（Ａ）〜（Ｃ）に示すように７×７のマトリクス状に表示ユニットを配置させてチャンネル等表示部を構成しても問題はなく、より豊富な情報を表示させながらその表示内容を適宜回転させて常に視認し易くできるという効果がある。
【００３４】
更に、上記実施形態での各表示ユニット14〜17は１２個の表示セグメントで構成されているが、図１３（Ａ）に示すような１６個の表示セグメントからなる表示ユニット51であってもよい。
その場合においても、各表示セグメントをその配設領域の中心に関して点対称な位置関係で配設していることが必要であり、上記実施形態の表示ユニット14〜17が「田」字状に表示セグメントを配設しているのに対して、表示ユニット51では更に中心から斜め方向へ４個の表示セグメントを放射状に追加した構成になっている。
【００３５】
図１３（Ｂ）は前記表示ユニット51を７×７のマトリクス状に配置させてチャンネル等表示部52を構成した場合における表示内容の一例である。
また、図１４（Ａ）及び（Ｂ）は前記一例の表示内容を携帯型トランシーバの情報表示パネル部3に表示させた状態［（Ｂ）は（Ａ）の表示状態から−９０°回転させた表示状態］であるが、斜め方向の４個の表示セグメントが追加されたことによって、より分かり易い英数字の表現が可能になっている。
【産業上の利用可能性】
【００３６】
本発明は、携帯型か設置型かを問わず、情報表示部をセグメント表示方式で構成する無線通信機に対して適用できる。
【符号の説明】
【００３７】
1…本体部、2…アンテナ、3…情報表示パネル部、3a…LCDドライバ、4…モードボタン、5…音量調節ボタン、6…PTTボタン、7…スピーカ＆マイクロホン、8…送受信インジケータ、11…電池残量表示部、12…音量レベル表示部、13…チャンネル等表示部、14〜17…表示ユニット、21…送信回路部、22…受信回路部、23…マイクロホン、24…MIC-ＡＭＰ回路、25…スピーカ、26…SPEAKER-ＡＭＰ回路、27…操作部、27a…操作部Ｉ/Ｆ、30…マイコン回路、31…ＣＰＵ、32…タイマー、33…ＲＯＭ、34…ＲＡＭ、35…I/Oポート、41…ロータリースイッチ回路、42…ベルトクリップ、43…ロータリースイッチ回路、44…ベルト、45…３軸加速度センサ、51…表示ユニット、52…チャンネル等表示部。
【図１】
0005543995.tif 000002
【図２】
0005543995.tif 000003
【図３】
0005543995.tif 000004
【図４】
0005543995.tif 000005
【図５】
0005543995.tif 000006
【図６】
0005543995.tif 000007
【図７】
0005543995.tif 000008
【図８】
0005543995.tif 000009
【図９】
0005543995.tif 000010
【図１０】
0005543995.tif 000011
【図１１】
0005543995.tif 000012
【図１１ａ】
0005543995.tif 000013
【図１２】
0005543995.tif 000014
【図１３】
0005543995.tif 000015
【図１４】
0005543995.tif 000016
【図１５】
0005543995.tif 000017
【図１６】
0005543995.tif 000018